(57)【要約】【課題】本発明は目覚まし時計に関し、意識を確実に目覚めさせる目覚まし時計を提供することを目的としている。【解決手段】アラーム時刻を入力するアラーム時刻設定入力部１と、鳴動しているアラームを解除するための解除操作を行なう解除操作入力部２と、日々変わるアラーム解除方法を寝始めの意識のある時には教えないように通知するアラーム解除方法通知部５と、設定時刻になるとアラームを鳴動させ、通知した解除方法通り操作したかを判定して一致したらアラームの鳴動を止める制御を行なうアラーム制御部３と、アラームを出力するアラーム出力部４と、時刻をカウントする時計部と、により構成される。【選択図】      図１
2004226290.tif 000002
【特許請求の範囲】
【請求項１】
アラーム時刻を入力するアラーム時刻設定入力部と、
鳴動しているアラームを解除するための解除操作を行なう解除操作入力部と、
日々変わるアラーム解除方法を寝始めの意識のある時には教えないように通知するアラーム解除方法通知部と、
設定時刻になるとアラームを鳴動させ、通知した解除方法通り操作したかを判定して一致したらアラームの鳴動を止める制御を行なうアラーム制御部と、
アラームを出力するアラーム出力部と、
時刻をカウントする時計部と、
により構成されたことを特徴とする目覚まし時計。
【請求項２】
前記アラーム制御部は、色又は音を認識しないとアラームの解除ができないように動作することを特徴とする請求項１記載の目覚まし時計。
【請求項３】
前記解除操作入力部は複数の色付きボタンを含み、アラーム解除方法の通知は色で表示し、その色のボタンを押さないとアラーム解除ができないようにしたことを特徴とする請求項２記載の目覚まし時計。
【請求項４】
前記色を表示した場合に、色が表示されている時間内にそのボタンを押下しないとアラーム解除ができないようにしたことを特徴とする請求項３記載の目覚まし時計。
【請求項５】
次々とある速度でランダムに表示されるボタンを表示が消えるまでの時間内に押下することを、ある定められた回数連続して正解しないとアラーム解除ができないようにしたことを特徴とする請求項４記載の目覚まし時計。
【請求項６】
前記アラーム解除条件として、ある一定時間内の正解率が予め決められた基準値より上回らないとアラーム解除ができないようにしたことを特徴とする請求項５記載の目覚まし時計。
【請求項７】
前記アラームの解除方法の通知は音声で行ない、その指示通りに前記解除操作入力部を操作しないとアラーム解除ができないようにしたことを特徴とする請求項２記載の目覚まし時計。
【請求項８】
前記解除操作入力部は音声認識機能を含み、音声の質問に声で正解応答しないとアラーム解除ができないようにしたことを特徴とする請求項７記載の目覚まし時計。
【請求項９】
アラーム解除通知は色又は音声の組み合わせで行ない、意識を確実に目覚めさせることを特徴とする請求項３又は７の何れかに記載の目覚まし時計。
【請求項１０】
前記アラーム解除通知は色、又は音声の質問に声で応答することで行ない、意識を確実に目覚めさせることを特徴とする請求項３又は８の何れかに記載の目覚まし時計。
【請求項１１】
色が表示されている間にそのボタンを押す操作と、アラーム解除方法の通知を音声で行なう操作とを組み合わせ、意識を確実に目覚めさせることを特徴とする請求項４又は７の何れかに記載の目覚まし時計。
【請求項１２】
色が表示されている間にそのボタンを押す操作と、音声の質問に声で正解応答する操作とを組み合わせ、意識を確実に目覚めさせることを特徴とする請求項４又は８の何れかに記載の目覚まし時計。
【請求項１３】
ランダムに表示されるボタンを押下する操作と、アラーム解除操作を音声で行なう操作とを組み合わせ、意識を確実に目覚めさせることを特徴とする請求項５又は７の何れかに記載の目覚まし時計。
【請求項１４】
ランダムに表示されるボタンを押下する操作と、音声の質問に声で正解応答する操作を組み合わせ、意識を確実に目覚めさせることを特徴とする請求項５又は８の何れかに記載の目覚まし時計。
【請求項１５】
アラーム解除の条件として基準値以上の正解率を条件とすることと、アラーム解除方法の通知を音声で行なうことを組み合わせ、意識を確実に目覚めさせることを特徴とする請求項６又は７の何れかに記載の目覚まし時計。
【請求項１６】
前記アラーム解除方法の色による通知は、色つきボタンと１対１に対応した色識別記号を予め記憶しておき、その色識別記号を乱数を生成して無作為に取り出すようにしたことを特徴とする請求項３記載の目覚まし時計。
【請求項１７】
前記音声による質問は、現在の月日時情報を質問し、その回答が月日時情報と一致しているかどうかを認識し、一致していたら前記アラーム制御部はアラームを解除することを特徴とする請求項７記載の目覚まし時計。
【請求項１８】
目覚めの悪い人と良い人をアラーム鳴動時間を測定してその平均値をとって判定し、目覚めの悪い人には難度の高いアラーム解除方法を実施することを特徴とする請求項２記載の目覚まし時計。
【請求項１９】
前記アラーム鳴動時間の測定の代わりに、アラーム鳴動開始時間から解除操作開始時間までの時間を用いることを特徴とする請求項１８記載の目覚まし時計。
【請求項２０】
目覚めの良し悪しは、アラーム鳴動時間の平均値と、アラーム鳴動開始時間から解除操作開始時間までの時間の組み合わせにより判定することを特徴とする請求項１８又は１９の何れかに記載の目覚まし時計。
【請求項２１】
目覚めの良し悪しは、アラーム解除操作開始時間から鳴動解除時間までを測定して行なうことを特徴とする請求項２記載の目覚まし時計。
【請求項２２】
目覚めの良し悪しの判定は、アラーム鳴動時間の平均値と、アラーム解除操作開始時刻から鳴動解除時間までの時間とを組み合わせて行なうことを特徴とする請求項１８又は２１記載の目覚まし時計。
【請求項２３】
前記色表示によるアラーム解除方法の通知タイミングは、アラーム設定時刻とアラーム設定を行なった時刻の中間点時刻、又はアラーム設定時刻からある時間を引いた時刻に行なうことを特徴とする請求項３記載の目覚まし時計。
【発明の詳細な説明】
【０００１】
【発明の属する技術分野】
本発明は目覚まし時計に関し、更に詳しくは目覚めないと鳴り出したアラームの解除が行えないようにした目覚まし時計に関する。
【０００２】
【従来の技術】
従来の目覚まし時計は、設定した時刻にアラームが鳴り始める、決められた操作方法でスイッチを操作してアラーム鳴動モードからアラーム非鳴動モードに切り換えて解除している。また、アラーム解除方法を事前に教えず、アラームが鳴った時点で表示装置に解除方法を文字で通知するやり方がある（例えば特許文献１参照）。
【０００３】
【特許文献１】
特開平６−１４８３５９号公報（第２頁、第３頁、図１）
【０００４】
【発明が解決しようとする課題】
前述の従来技術では、アラーム鳴動モードからアラーム非鳴動モードに切り換えてアラーム解除を行なう方式では、解除操作を覚えてしまうと、完全に目が覚めていない状態でもアラーム解除ができてしまう。また、予め解除方法を事前に教えず、アラームが鳴った時に表示装置に解除方法を文字で通知する方法では、アラーム設定時間以前に目がさめた場合、その時点ですぐアラーム設定を解除できないという問題がある。
【０００５】
本発明はこのような課題に鑑みてなされたものであって、意識を確実に目覚めさせる目覚まし時計を提供することを目的としている。
【０００６】
【課題を解決するための手段】
（１）請求項１記載の発明は、以下の通りである。図１は本発明の原理ブロック図である。図において、１はアラーム時刻を入力するアラーム時刻設定入力部と、２は鳴動しているアラームを解除するための解除操作を行なう解除操作入力部、５は日々変わるアラーム解除方法を寝始めの意識のある時には教えないように通知するアラーム解除方法通知部と、３は設定時刻になるとアラームを鳴動させ、通知した解除方法通り操作したかを判定して一致したらアラームの鳴動を止める制御を行なうアラーム制御部、４はアラームを出力するアラーム出力部、６は時刻をカウントする時計部である。
【０００７】
このように構成すれば、アラームが鳴動した場合、アラーム解除方法通知部５から通知した方法により解除操作入力部２からアラーム解除処理を行なわないと、アラームを解除することができないので、意識を確実に目覚めさせることができる。
（２）請求項２記載の発明は、前記アラーム制御部は、色又は音を認識しないとアラームの解除ができないように動作することを特徴とする。
【０００８】
このように構成すると、前記アラーム解除方法通知部から色又は音を認識しないとアラームの解除ができないので、意識を確実に目覚めさせることができる。
（３）請求項３記載の発明は、前記解除操作入力部は複数の色付きボタンを含み、アラーム解除方法の通知は色で表示し、その色のボタンを押下しないとアラーム解除ができないようにしたことを特徴とする。
【０００９】
このように構成すれば、アラーム解除方法通知部から通知される案内に従って、表示された色の表示を押下しないとアラームが解除されないようにしているので、意識を確実に目覚めさせることができる。
（４）請求項４記載の発明は、前記色を表示した場合に、色が表示されている時間内にそのボタンを押下しないとアラーム解除ができないようにしたことを特徴とする。
【００１０】
このように構成すれば、その色が表示されている時間内にそのボタンを押下しないとアラーム解除ができないので、意識を確実に目覚めさせることができる。
（５）請求項５記載の発明は、次々とある速度でランダムに表示されるボタンを表示が消えるまでの時間内に押下することを、ある定められた回数連続して正解しないとアラーム解除ができないようにしたことを特徴とする。
【００１１】
このように構成すれば、ランダムに表示されるボタンを表示が消えるまでの間に押下しないとアラーム解除ができないので、意識を確実に目覚めさせることができる。
（６）請求項６記載の発明は、前記アラーム解除条件として、ある一定時間内の正解率が予め決められた基準値より上回らないとアラーム解除ができないようにしたことを特徴とする。
【００１２】
このように構成すれば、ランダムに表示されるボタンの押下動作の正解率が予め決められた基準値より上回らないとアラーム解除ができないようにしているので、意識を確実に目覚めさせることができる。
（７）請求項７記載の発明は、前記アラームの解除方法の通知は音声で行ない、その指示通りに前記解除操作入力部を操作しないとアラーム解除ができないようにしたことを特徴とする。
【００１３】
このように構成すれば、音声で通知される解除方法に従って、解除操作部入力部を操作しないとアラーム解除ができないので、意識を確実に目覚めさせることができる。
（８）請求項８記載の発明は、前記解除操作入力部は音声認識機能を含み、音声の質問に声で正解応答しないとアラーム解除ができないようにしたことを特徴とする。
【００１４】
このように構成すれば、音声の質問に声で正解応答しないとアラーム解除ができないので、意識を確実に目覚めさせることができる。
（９）請求項９記載の発明は、アラーム解除通知は色又は音声の組み合わせで行ない、意識を確実に目覚めさせることを特徴とする。
【００１５】
このように構成すれば、アラーム解除通知は色又は音声の組み合わせで行なうようにしているので、意識を確実に目覚めさせることができる。
（１０）請求項１０記載の発明は、前記アラーム解除通知は色、又は音声の質問に声で応答することで行ない、意識を確実に目覚めさせることを特徴とする。
【００１６】
このように構成すれば、アラーム解除通知は色、又は音声の質問に声で応答することで行なうようにしているので、意識を確実に目覚めさせるようにすることができる。
（１１）請求項１１記載の発明は、色が表示されている間にそのボタンを押す操作と、アラーム解除方法の通知を音声で行なう操作とを組み合わせ、意識を確実に目覚めさせることを特徴とする請求項４又は７の何れかに記載の目覚まし時計。
【００１７】
このように構成すれば、色が表示されている間にそのボタンを押す操作と、アラーム解除方法の通知を音声で行なう操作とを組み合わせるので、意識を確実に目覚めさせることができる。
（１２）請求項１２記載の発明は、色が表示されている間にそのボタンを押す操作と、音声の質問に声で正解応答する操作とを組み合わせ、意識を確実に目覚めさせることを特徴とする。
【００１８】
このように構成すれば、色が表示されている間にそのボタンを押す操作と、音声の質問に声で正解応答する操作とを組み合わせるので、意識を確実に目覚めさせることができる。
（１３）請求項１３記載の発明は、ランダムに表示されるボタンを押下する操作と、アラーム解除操作を音声で行なう操作とを組み合わせ、意識を確実に目覚めさせることを特徴とする。
【００１９】
このように構成すれば、ランダムに表示されるボタンを押下する操作と、アラーム解除操作を音声で行なう操作とを組み合わせるので、意識を確実に目覚めさせることができる。
（１４）請求項１４記載の発明は、ランダムに表示されるボタンを押下する操作と、音声の質問に声で正解応答する操作を組み合わせ、意識を確実に目覚めさせることを特徴とする。
【００２０】
このように構成すれば、ランダムに表示されるボタンを押下する操作と、音声の質問に声で正解応答する操作を組み合わせるので、意識を確実に目覚めさせることができる。
（１５）請求項１５記載の発明は、アラーム解除の条件として基準値以上の正解率を条件とすることと、アラーム解除方法の通知を音声で行なうことを組み合わせ、意識を確実に目覚めさせることを特徴とする。
【００２１】
このように構成すれば、アラーム解除の条件として基準値以上の正解率を条件とすることと、アラーム解除方法の通知を音声で行なうことを組み合わせるので、意識を確実に目覚めさせることができる。
（１６）請求項１６記載の発明は、前記アラーム解除方法の色による通知は、色つきボタンと１対１に対応した色識別記号を予め記憶しておき、その色識別記号を乱数を生成して無作為に取り出すようにしたことを特徴とする。
【００２２】
このように構成すれば、ボタンの色表示をランダムに表示させ、そのボタンを押下させるようにしているので、意識を確実に目覚めさせることができる。
（１７）請求項１７記載の発明は、前記音声による質問は、現在の月日時情報を質問し、その回答が月日時情報と一致しているかどうかを認識し、一致していたら前記アラーム制御部はアラームを解除することを特徴とする。
【００２３】
このように構成すれば、月日時情報を発声するか、解除操作入力部から入力させるようにしているので、意識を確実に目覚めさせることができ、アラームを解除することができる。
（１８）請求項１８記載の発明は、目覚めの悪い人と良い人をアラーム鳴動時間を測定してその平均値をとって判定し、目覚めの悪い人には難度の高いアラーム解除方法を実施することを特徴とする。
【００２４】
このように構成すれば、目覚めの悪い人でも意識を確実に目覚めさせることができ、アラームを解除することができる。
（１９）請求項１９記載の発明は、前記アラーム鳴動時間の測定の代わりに、アラーム鳴動開始時間から解除操作開始時間までの時間を用いることを特徴とする。
【００２５】
このように構成すれば、アラーム鳴動開始時間から解除操作開始時間までの時間を用いて、操作者の操作反応時間を測定することができる。
（２０）請求項２０記載の発明は、目覚めの良し悪しは、アラーム鳴動時間の平均値と、アラーム鳴動開始時間から解除操作開始時間までの時間の組み合わせにより判定することを特徴とする。
【００２６】
このように構成すれば、意識を確実に目覚めさせることができる。
（２１）請求項２１記載の発明は、目覚めの良し悪しは、アラーム解除操作開始時間から鳴動解除時間までを測定して行なうことを特徴とする。
【００２７】
このように構成すれば、アラーム解除操作開始時間から鳴動解除時間までの時間により目覚めの良し悪しを測定することができる。
（２２）請求項２２記載の発明は、目覚めの良し悪しの判定は、アラーム鳴動時間の平均値と、アラーム解除操作開始時刻から鳴動解除時間までの時間とを組み合わせて行なうことを特徴とする。
【００２８】
このように構成すれば、目覚めの良し悪しを判定することができる。
（２３）請求項２３記載の発明は、前記色表示によるアラーム解除方法の通知タイミングは、アラーム設定時刻とアラーム設定を行なった時刻の中間点時刻、又はアラーム設定時刻からある時間を引いた時刻に行なうことを特徴とする。
【００２９】
このように構成すれば、アラーム解除方法の通知時刻を最適な時間に行なうことができる。
【００３０】
【発明の実施の形態】
以下、図面を参照して本発明の実施の形態例を詳細に説明する。
【００３１】
図２は本発明の目覚まし時計の外観構成例を示す図である。図１と同一のものは、同一の符号を付して示す。図において、１はアラーム時刻設定入力部、２は解除操作入力部、４はアラーム出力部としてのスピーカ、５はアラーム解除方法通知部としての情報表示部、９は時計を表示する時計表示部、７は色表示ボタンである。ここでは、色表示ボタンが３個の場合を示しているが、３個に限るものではなく、任意の数の色表示ボタンを設けることができる。時計表示部９は時計部６の出力を表示している。
【００３２】
８は、音声でアラーム解除方法を通知する時の解除方法通知部としてのスピーカである。このように構成された目覚まし時計の動作を図３に示すフローチャートを用いて説明すれば、以下の通りである。
【００３３】
図３はアラーム制御部の動作を示すフローチャートである。先ず、時計の状態がタイマ設定状態にあるかどうかチェックする（Ｓ１）。タイマ設定状態にない場合には、処理は行なわない。
【００３４】
ここで、タイマの設定は、アラーム時刻設定入力部１によりアラーム時刻を設定することにより行なう。操作者は、アラーム時刻設定入力部１のボタンを操作してタイマ設定モードに設定する。タイマ設定モードになると、時計表示部９は時計表示設定モードになる。ここで、操作者がアラーム時刻設定入力部１を操作してアラーム設定時刻情報を入力すると、時計表示部９は、アラーム表示時刻を表示する。ここで、表示された時刻を見て、アラーム表示時刻となったら、タイマ時刻設定動作を終了する。この時、アラーム時刻は、時計の内部メモリに記憶される。
【００３５】
次に、アラーム制御部３は、内部メモリからアラーム設定時刻を読み出す（Ｓ２）。そして、時計表示部９を参照してアラーム時刻が現在の時刻と一致するかどうかチェックする（Ｓ３）。アラーム時刻が現在の時刻と一致した場合、アラーム制御部３はアラーム出力部４を駆動してアラームを鳴動させる（Ｓ４）。この結果、スピーカ４からアラーム音が鳴動する。
【００３６】
一方、ステップＳ３において、アラーム設定時刻が現時刻と一致しない場合、アラーム制御部３は事前通知時刻を読み出す（Ｓ５）。そして、事前通知時刻が現時刻と一致しているかどうかをチェックする（Ｓ６）。現時刻と一致しない場合には、ステップＳ２に戻る。
【００３７】
ここで、事前通知時刻について説明する。人によっては、設定されたアラーム時刻よりも先に目覚めることがある。その場合、既に目覚めた後でアラームが鳴動しても意味がなく、うるさいだけであるので、この場合には、設定されたアラームを解除することができるようになっている。その設定されたアラームを解除する時刻が事前通知時刻である。事前通知時刻になったら、操作者は所定の手順に従い、アラーム設定を解除することができる。
【００３８】
アラームが鳴動した場合と、事前通知時刻になった時に、情報表示部５からアラーム解除方法が通知される（Ｓ７）。このアラーム解除方法の通知は、情報表示部５の表示画面から表示することができ、又はスピーカ８から音声で通知することもできる。
【００３９】
操作者は、アラームが鳴動したら、情報表示部５に表示されるシーケンスに従って、アラーム解除のための操作を行なう。或いは、アラーム解除方法通知は、スピーカ８から音声で通知されることもある。その場合には、音声ガイダンスに従って、アラーム解除操作を行なう。
【００４０】
アラーム解除操作の例としては、例えば色表示ボタン７で表示されたボタンを押下する操作が考えられる。このようにすれば、色を認識しないとそのボタンを押すことができないので、意識を確実に目覚めさせることができる。なお、色の代わりに音で認識できるようにしてもよい。この場合、音を認識しないとそのボタンを押すことができないので、意識を確実に目覚めさせることができる。
【００４１】
この場合に、その色が表示されている時間内にそのボタンを押下しないとアラームが解除できないようにすることができる。これによれば、その色が表示されている時間内にそのボタンを押さないとアラーム解除ができないので、意識を確実に目覚めさせることができる。
【００４２】
また、情報表示部５から通知される案内に従って、表示された色のボタンを押下しないとアラームが解除できないようにすることができる。これによれば、意識を確実に目覚めさせることができる。
【００４３】
ここで、色表示ボタン７の表示は、色つきボタンと１対１に対応した色識別記号を予め記憶しておき、その色識別記号を乱数を生成して無作為に取り出すようにする。そして、無作為抽出の結果、選ばれた色表示ボタンを表示するようにする。ここで、操作者が色表示がされたボタンを押下していく操作を所定の回数繰り返すと、アラーム解除操作は終了する。
【００４４】
このように構成すれば、ランダムに押下するボタンの押下動作の正解率が予め決められた基準値よりも上回らないとアラーム解除ができないようにしているので、意識を確実に目覚めさせることができる。
【００４５】
また、このように構成すれば、ボタンの色表示をランダムに表示させ、そのボタンを押下させるようにしているので、意識を確実に目覚めさせることができる。
【００４６】
この場合において、ランダムに表示されるボタンを表示が消えるまでの間に押下しないとアラーム解除ができないようにすることができる。この結果、意識を確実に目覚めさせることができる。
【００４７】
また、前記解除操作入力部２は、音声認識機能を含み、音声の質問に声で正解応答しないとアラーム解除ができないようにすることができる。
【００４８】
このように構成すれば、音声の質問に声で正解応答しないとアラーム解除ができないので、意識を確実に目覚めさせることができる。
【００４９】
また、アラーム解除通知は色又は音声の組み合わせで行ない、意識を確実に目覚めさせることができる。
【００５０】
このように構成すれば、アラーム解除通知は色又は音声の組み合わせで行なうようにしているので、意識を確実に目覚めさせることができる。
【００５１】
また、前記アラーム解除通知は色、又は音声の質問に声で応答することで行ない、意識を確実に目覚めさせることができる。
【００５２】
このように構成すれば、アラーム解除通知は色、又は音声の質問に声で応答することで行なうようにしているので、意識を確実に目覚めさせるようにすることができる。
【００５３】
また、色が表示されている間にそのボタンを押す操作と、アラーム解除方法の通知を音声で行なう操作とを組み合わせ、意識を確実に目覚めさせることができる。
【００５４】
このように構成すれば、色が表示されている間にそのボタンを押す操作と、アラーム解除方法の通知を音声で行なう操作とを組み合わせるので、意識を確実に目覚めさせることができる。
【００５５】
また、色が表示されている間にそのボタンを押す操作と、音声の質問に声で正解応答する操作とを組み合わせ、意識を確実に目覚めさせることができる。
【００５６】
このように構成すれば、色が表示されている間にそのボタンを押す操作と、音声の質問に声で正解応答する操作とを組み合わせるので、意識を確実に目覚めさせることができる。
【００５７】
また、ランダムに表示されるボタンを押下する操作と、アラーム解除操作を音声で行なう操作とを組み合わせ、意識を確実に目覚めさせることができる。
【００５８】
このように構成すれば、ランダムに表示されるボタンを押下する操作と、アラーム解除操作を音声で行なう操作とを組み合わせるので、意識を確実に目覚めさせることができる。
【００５９】
また、ランダムに表示されるボタンを押下する操作と、音声の質問に声で正解応答する操作を組み合わせ、意識を確実に目覚めさせることができる。
【００６０】
このように構成すれば、ランダムに表示されるボタンを押下する操作と、音声の質問に声で正解応答する操作を組み合わせるので、意識を確実に目覚めさせることができる。
【００６１】
また、アラーム解除の条件として基準値以上の正解率を条件とすることと、アラーム解除方法の通知を音声で行なうことを組み合わせ、意識を確実に目覚めさせることができる。
【００６２】
このように構成すれば、アラーム解除の条件として基準値以上の正解率を条件とすることと、アラーム解除方法の通知を音声で行なうことを組み合わせるので、
意識を確実に目覚めさせることができる。
【００６３】
また、前記音声による質問は、現在の月日時情報を質問するものである。そして、その回答が月日時情報と一致しているかどうかを認識し、一致していたら前記アラーム制御部３はアラームを解除するようにすることができる。
【００６４】
このように構成すれば、月日時情報を発声するか、解除操作入力部２から入力させるようにしているので、意識を確実に目覚めさせることができ、アラームを解除することができる。
【００６５】
再び図３の説明に戻る。アラーム制御部３は、操作者の解除操作入力が終了したかどうかチェックする（Ｓ８）。解除操作入力が終了した場合には、アラーム制御部３は解除操作が通知した解除操作と一致しているかどうかをチェックする（Ｓ９）。一致していない場合には、例えば情報表示部５に入力エラー表示をした後（Ｓ１０）、ステップＳ８に戻る。
【００６６】
ステップＳ９において、解除操作入力が通知した解除方法と一致した場合には、アラーム制御部３はアラーム解除指示をオンにする（Ｓ１１）。次に、アラーム制御部３は目覚め度評価を行なう（Ｓ１２。詳細後述）。次に、解除手順メッセージを消す（Ｓ１３）。
【００６７】
図４は目覚め度評価動作を示すフローチャートである。この目覚め度評価動作はアラーム制御部３が行なう。先ず、アラーム制御部３はアラーム鳴動指示がオンであるかどうかをチェックする（Ｓ１）。アラーム鳴動指示がオンである場合には、鳴動開始時刻（Ａ）を記憶する（Ｓ２）。ここで、記憶する場所としては、例えばアラーム制御部３に付属のメモリ又はレジスタ等を用いることができる。
【００６８】
次に、解除操作が開始されたかどうかをチェックする（Ｓ３）。開始された場合には、アラーム制御部３は入力操作開始時刻（Ｂ）を記憶する（Ｓ４）。次に、前記取得したデータＡとＢとから操作反応時間（Ｂ−Ａ）を計算する（Ｓ５）。この操作反応時間が短かいということは、アラームが鳴動してから操作開始するまでの時間が短いということであるので、目覚めがよいことの一つの指標となる。
【００６９】
次に、操作反応時間が計算されたら、既に記憶部に記憶されている複数の操作反応時間を読み出して、今回の操作反応時間とを合わせて平均Ｃをとり記憶する（Ｓ６）。次に、アラーム制御部３はアラーム鳴動指示をオフにする（Ｓ７）。これにより、アラーム制御部３はアラーム出力部４をオフにし、アラームの鳴動を停止させる。
【００７０】
このようにすれば、アラーム鳴動開始時間から解除操作開始時間までの応答時間を用いて、操作者の操作反応時間を測定することができる。
【００７１】
図５は目覚め度評価動作の他の例を示すフローチャートである。アラーム制御部３は、アラーム鳴動指示をオンにする（Ｓ１）。この時の時刻をＤとする。このアラーム鳴動指示により、アラームが鳴動する。操作者は、アラーム解除手続きに従って、アラーム解除を行なう（Ｓ２）。そして、アラームが解除されたら、その時の時刻をＥとして記憶しておく（Ｓ３）。
【００７２】
アラーム制御部３は、上述の時刻ＤとＥとからアラーム鳴動時間（Ｅ−Ｄ）を計算する（Ｓ４）。アラーム鳴動時間が求まったら、既に記憶部に記憶されている複数の鳴動時間を読み出して、今回の鳴動時間とを合わせて平均Ｆをとり記憶する（Ｓ５）。
【００７３】
次に、図４に示すシーケンスで求めた操作応答時間の平均Ｃと、鳴動時間の平均Ｆとから目覚め度評価値を計算する（Ｓ６）。ここで、目覚め度評価は既存の技術を用いて計算することができる。目覚め度評価計算が終了したら、アラーム制御部３はアラーム解除指示をオフにする（Ｓ７）。
【００７４】
このようにすれば、鳴動時間を用いて操作者の操作反応時間を測定することができ、目覚め度評価を用いて、目覚めの悪い人には難度の高いアラーム解除方法を実施することで、意識を確実に目覚めさせることができ、アラームを解除することができる。
【００７５】
なお、目覚めの良し悪しは、アラーム鳴動時間の平均値と、アラーム鳴動開始時間から解除操作開始時間の組み合わせにより判定することができる。このようにすれば、意識を確実に目覚めさせることができる。
【００７６】
また、目覚めの良し悪しは、アラーム解除操作開始時間から鳴動解除時間までを測定して行なうようにすることができる。このようにすれば、目覚めの良し悪しを測定することができる。
【００７７】
また、目覚めの良し悪しの判定は、アラーム鳴動時間の平均値と、アラーム解除操作開始時刻から鳴動解除時間までの時間とを組み合わせて行なうことができる。このようにすれば、目覚めの良し悪しを判定することができる。
【００７８】
また、前記色表示によるアラーム解除方法の通知タイミングは、アラーム設定時刻とアラーム設定を行なった時刻の中間点時刻、又はアラーム設定時刻からある時間を引いた時刻に行なうことを特徴とする。このように構成すれば、アラーム解除方法の通知時刻を最適な時間に行なうことができる。
【００７９】
図６は解除方法通知機能処理を示すフローチャートである。先ず、アラーム制御部３は、目覚め評価テーブル１０から目覚め平均時間を読み出す（Ｓ１）。目覚め評価テーブル１０は、図に示すように識別コード、測定時間、累積時間、平均時間から構成されている。アラーム制御部３は、目覚め評価時間を読み出すと、目覚め評価時間から目覚めレベルを求め、目覚め評価レベルテーブル１１に目覚めレベルを書き込む（Ｓ２）。
【００８０】
目覚め評価レベルテーブル１１は、鳴動時間と、レベルと、解除通知時刻から構成されている。例えば、鳴動時間が１５秒以内の場合にはレベル１となり、解除操作が速いということであり、目覚め度が高いことになる。この場合には、解除通知時刻は鳴動開始３０分前に行なう。一方、鳴動時間が３１秒以上の場合、解除操作が遅く目覚め度が低いことになる。この場合には、解除通知時刻を設定する意味がないので、解除通知時刻は鳴動開始時となる。
【００８１】
次に、評価したレベルテーブル１１から解除方法をランダムに取り出す（Ｓ３）。１２は解除方法がランダムに記憶された解除方法テーブルである。レベル１〜レベル３に対応して解除方法がランダムに記憶されている。この解除方法テーブル１２は、乱数を発生して、解除方法を無作為に割り当てたものである。なお、レベル３の法がレベル１よりも解除方法の難度が高くなっている。この結果、目覚めの悪い人でも意識を確実に目覚めさせることができる。
【００８２】
【発明の効果】
以上説明したように、本発明によれば、以下の効果が得られる。
【００８３】
（１）請求項１記載の発明によれば、アラームが鳴動した場合、アラーム解除方法通知部から通知した方法により解除操作入力部からアラーム解除処理を行なわないと、アラーム解除することができないので、意識を確実に目覚めさせることができる。
【００８４】
（２）請求項２記載の発明によれば、前記アラーム解除方法通知部から色又は音を認識しないとアラームの解除ができないので、意識を確実に目覚めさせることができる。
【００８５】
（３）請求項３記載の発明によれば、アラーム解除方法通知部から通知される案内に従って、表示された色の表示を押下しないとアラームが解除されないようにしているので、意識を確実に目覚めさせることができる。
【００８６】
（４）請求項４記載の発明によれば、その色が表示されている時間内にそのボタンを押下しないとアラーム解除ができないので、意識を確実に目覚めさせることができる。
【００８７】
（５）請求項５記載の発明によれば、ランダムに表示されるボタンを表示が消えるまでの間に押下しないとアラーム解除ができないので、意識を確実に目覚めさせることができる。
【００８８】
（６）請求項６記載の発明によれば、ランダムに表示されるボタンの押下動作の正解率が予め決められた基準値より上回らないとアラーム解除ができないようにしているので、意識を確実に目覚めさせることができる。
【００８９】
（７）請求項７記載の発明によれば、音声で通知される解除方法に従って、解除操作部入力部を操作しないとアラーム解除ができないので、意識を確実に目覚めさせることができる。
【００９０】
（８）請求項８記載の発明によれば、音声の質問に声で正解応答しないとアラーム解除ができないので、意識を確実に目覚めさせることができる。
【００９１】
（９）請求項９記載の発明によれば、アラーム解除通知は色又は音声の組み合わせで行なうようにしているので、意識を確実に目覚めさせることができる。
【００９２】
（１０）請求項１０記載の発明によれば、アラーム解除通知は色、又は音声の質問に声で応答することで行なうようにしているので、意識を確実に目覚めさせるようにすることができる。
【００９３】
（１１）請求項１１記載の発明によれば、色が表示されている間にそのボタンを押す操作と、アラーム解除方法の通知を音声で行なう操作とを組み合わせるので、意識を確実に目覚めさせることができる。
【００９４】
（１２）請求項１２記載の発明によれば、色が表示されている間にそのボタンを押す操作と、音声の質問に声で正解応答する操作とを組み合わせるので、意識を確実に目覚めさせることができる。
【００９５】
（１３）請求項１３記載の発明によれば、ランダムに表示されるボタンを押下する操作と、アラーム解除操作を音声で行なう操作とを組み合わせるので、意識を確実に目覚めさせることができる。
【００９６】
（１４）請求項１４記載の発明によれば、ランダムに表示されるボタンを押下する操作と、音声の質問に声で正解応答する操作を組み合わせるので、意識を確実に目覚めさせることができる。
【００９７】
（１５）請求項１５記載の発明によれば、アラーム解除の条件として基準値以上の正解率を条件とすることと、アラーム解除方法の通知を音声で行なうことを組み合わせるので、意識を確実に目覚めさせることができる。
【００９８】
（１６）請求項１６記載の発明によれば、ボタンの色表示をランダムに表示させ、そのボタンを押下させるようにしているので、意識を確実に目覚めさせることができる。
【００９９】
（１７）請求項１７記載の発明によれば、月日時情報を発声するか、解除操作入力部から入力させるようにしているので、意識を確実に目覚めさせることができ、アラームを解除することができる。
【０１００】
（１８）請求項１８記載の発明によれば、目覚めの悪い人でも意識を確実に目覚めさせることができ、アラームを解除することができる。
【０１０１】
（１９）請求項１９記載の発明によれば、アラーム鳴動開始時間から解除操作開始時間までの時間を用いて、操作者の操作反応時間を測定することができる。
【０１０２】
（２０）請求項２０記載の発明によれば、意識を確実に目覚めさせることができる。
【０１０３】
（２１）請求項２１記載の発明によれば、アラーム解除操作開始時間から鳴動解除時間までの時間により目覚めの良し悪しを測定することができる。
【０１０４】
（２２）請求項２２記載の発明によれば、目覚めの良し悪しを判定することができる。
【０１０５】
（２３）請求項２３記載の発明によれば、アラーム解除方法の通知時刻を最適な時間に行なうことができる。
【０１０６】
このように、本発明によれば、意識を確実に目覚めさせる目覚まし時計を提供することができる。
【図面の簡単な説明】
【図１】本発明の原理ブロック図である。
【図２】本発明の目覚まし時計の外観構成例を示す図である。
【図３】アラーム制御部の動作を示すフローチャートである。
【図４】目覚め度評価動作を示すフローチャートである。
【図５】目覚め度評価動作の他の例を示すフローチャートである。
【図６】解除方法通知機能処理を示すフローチャートである。
【符号の説明】
１  アラーム時刻設定入力部
２  解除操作入力部
３  アラーム制御部
４  アラーム出力部
５  アラーム解除方法通知部
６  時計部
【図１】
2004226290.tif 000003
【図２】
2004226290.tif 000004
【図３】
2004226290.tif 000005
【図４】
2004226290.tif 000006
【図５】
2004226290.tif 000007
【図６】
2004226290.tif 000008